(57)【要約】      （修正有）【課題】熱源体から熱伝達される温度を調整して、所望の温熱効果を得ることができる熱源カバーを提供する。【解決手段】湯たんぽ１００を被覆する湯たんぽカバー１であって、伝熱性を有するとともに、流体状の空気を封入する空気封入体１０を、被覆する湯たんぽ１００の外側となるように配置するとともに、変形可能な変形性素材で構成し、空気封入体１０における空気の封入量を調整する注入出口を備えるとともに、空気封入体１０における内部圧力を調整する圧力調整弁を備えた。【選択図】図５
2011000253.tif 000002
【特許請求の範囲】
【請求項１】
熱源体を被覆する熱源カバーであって、
伝熱性を有する伝熱体を封入する伝熱体封入部を、被覆する前記熱源体の外側となるように配置するとともに、変形可能な変形性素材で構成し、
前記伝熱体を、流体状の流体状伝熱体で構成した
熱源カバー。
【請求項２】
前記伝熱体封入部における前記流体状伝熱体の封入量を調整する封入量調整手段を備えた
請求項１に記載の熱源カバー。
【請求項３】
前記伝熱体封入部における内部圧力を調整する圧力調整手段を備えた
請求項１又は２に記載の熱源カバー。
【請求項４】
前記熱源体を、湯たんぽで構成するとともに、
前記流体状伝熱体を空気で構成した
請求項１から３のうちいずれかに記載の熱源カバー。
【請求項５】
前記湯たんぽを、略面状部分が上下面となる扁平形状で形成し、
前記伝熱体封入部が、少なくとも前記略面状部分の外側を被覆する構成とした
請求項４に記載の熱源カバー。
【発明の詳細な説明】
【技術分野】
【０００１】
この発明は、例えば、湯たんぽ等の熱源体を被覆する熱源カバーに関し、詳しくは、熱源体から熱伝達される温度を調整して、所望の温熱効果を得ることができる熱源カバーに関する。
【背景技術】
【０００２】
従来より、例えば、低温やけどの防止や有効温度の持続性向上を目的として、温熱具等の熱源体を収納してカバーする保温用収納具等が提案されている（特許文献１参照）。
【０００３】
下記特許文献１の保温用収納具は、薄く形成した温熱具をシート状保温材で収容する構成である。これにより、温熱具の使用感を低下させることなく、低温やけど等を防止しながら、温熱具の温め効果を有効活用することができるとされている。  
また、シート状保温材の保温効果により、温熱具の温め効果を長時間に亘って持続することができるとされている。
【０００４】
例えば、内部にお湯を封入して温め効果を得る湯たんぽ等の熱源体の場合、お湯を封入したばかりの使用開始時点では非常に熱く、長時間使用すると内部のお湯の温度が低下して、温め効果は低減する。逆に、氷や冷水等の冷温体の場合は、使用開始時点では非常に冷たく、長時間使用すると内部の冷温体の温度が上昇し、冷やし効果は低減する。
【０００５】
このような熱源体を、下記特許文献１の保温用収納具に収容すると、シート状保温材の保温効果により、湯たんぽ等の熱源体の有効温熱を長時間に亘って持続することができる。  
しかし、シート状保温材における熱伝達率が一定であるため、使用開始時点と長時間使用後における保温用収納具の外表面における温度は大きく異なる。具体的には、お湯を封入した場合、使用開始時には熱く、使用時間とともに低下し、逆に、氷や冷水を封入する場合、使用開始時に冷たく、使用時間とともに上昇するように、所望の温度による温熱効果を長時間に亘って得ることはできなかった。
【先行技術文献】
【特許文献】
【０００６】
【特許文献１】特開２００２−２６３１３１号公報
【発明の概要】
【発明が解決しようとする課題】
【０００７】
そこで本発明では、熱源体から熱伝達される温度を調整して、所望の温熱効果を得ることができる熱源カバーの提供を目的とする。
【課題を解決するための手段】
【０００８】
本発明は、熱源体を被覆する熱源カバーであって、伝熱性を有する伝熱体を封入する伝熱体封入部を、被覆する前記熱源体の外側となるように配置するとともに、変形可能な変形性素材で構成し、前記伝熱体を、流体状の流体状伝熱体で構成したことを特徴とする。
【０００９】
上記熱源体は、内部にお湯のような高温液体を封入して温め効果を得る湯たんぽ等や、内部に氷等を封入して冷やし効果を得る冷温体等の熱源体とすることができ、すなわち、自身での加熱作用や冷却作用を有さない熱源体とすることができる。
【００１０】
上記流体状の流体状伝熱体は、空気やヘリウムガス等の気体、液体あるいはゲル状の伝熱体とすることができる。  
上記変形可能な変形性素材は、シート体、布帛あるいは不織布とすることができる。
【００１１】
本発明の上記構成により、使用感を低下させることなく、被覆した熱源体の温度を流体状伝熱体で熱伝達し、所望の温熱効果を得ることができる。  
なお、上記温熱効果は、温度の高い熱源体による温め効果、及び温度の低い熱源体による冷やし効果を含むこととすることができる。  
また、伝熱体封入部に封入された流体状伝熱体は伝熱体封入部内を対流するため、熱源体から伝達する温熱効果を均一に伝熱することができる。
【００１２】
さらに、例えば、熱源体が高温である場合、被覆する前記熱源体の外側となるように配置した伝熱体封入部に流体状伝熱体を封入しているため、熱源体からの伝達された熱によって流体状伝熱体が熱膨張する。この流体状伝熱体の熱膨張に伴って伝熱体封入部が変形して、伝熱体封入部外側面と熱源体との距離が大きくなる。したがって、流体状伝熱体による熱伝達距離が長くなるため、熱源体から伝達される熱を低減し、適度な温熱効果を得ることができる。
【００１３】
なお、熱源の温度低下に伴い、流体状伝熱体の熱膨張も低下するため、伝熱体封入部外側面と熱源体との距離が使用開始時より小さくなる。したがって、熱源体の温度が低減しても適度な温熱効果を得ることができる。  
【００１４】
このように、上記構成としたことで、使用感を低下させることなく、使用開始時点から所望の温熱効果を得ることができるとともに、例えば、高温の熱源体を用いた場合であっても、熱伝達率が変化することで所望の温熱効果を長時間に亘って継続的に得ることができる。
【００１５】
この発明の態様として、前記伝熱体封入部における前記流体状伝熱体の封入量を調整する封入量調整手段を備えることができる。  
これにより、流体状伝熱体の封入量を、所望の温熱効果を得ることのできる封入量に調整することができる。したがって、例えば、利用者に応じて所望の温熱効果を得ることができる。
【００１６】
また、この発明の態様として、前記伝熱体封入部における内部圧力を調整する圧力調整手段を備えることができる。  
上記圧力調整手段は、減圧弁や封入部の体積変化による圧力調整等で構成することができる。
【００１７】
これにより、例えば、熱源体が高温であり、伝熱体封入部に封入された流体状伝熱体が熱膨張して伝熱体封入部の内圧が過剰に上昇した場合であっても、伝熱体封入部に封入された流体状伝熱体の圧力を調整できるため、安全に使用することができる。
【００１８】
また、この発明の態様として、前記熱源体を、湯たんぽで構成するとともに、前記流体状伝熱体を空気で構成することができる。  
したがって、安価で確実に、所望の温熱効果を得ることのできる熱源カバーを構成することができる。
【００１９】
また、この発明の態様として、前記湯たんぽを、略面状部分が上下面となる扁平形状で形成し、前記伝熱体封入部が、少なくとも前記略面状部分の外側を被覆する構成とすることができる。  
この構成により、例えば、熱源体が高温であっても、確実に、低温やけどを防止できるとともに、所望の温熱効果を得ることができる。
【発明の効果】
【００２０】
本発明では、熱源体から熱伝達される温度を調整して、所望の温熱効果を得ることができる熱源カバーを提供することができる。
【図面の簡単な説明】
【００２１】
【図１】湯たんぽカバーの斜視図。
【図２】湯たんぽカバーについての断面図による説明図。
【図３】注入出口についての説明図。
【図４】圧力調整弁についての説明図。
【図５】湯たんぽを収容した状態の湯たんぽカバーの縦断面図。
【図６】圧力調整弁についての説明図。
【図７】別の実施形態の湯たんぽカバーについての説明図。
【図８】さらに別の実施形態の湯たんぽカバーの斜視図。
【図９】さらに別の実施形態の湯たんぽカバーについての説明図。
【図１０】さらに別の実施形態の湯たんぽカバーについての説明図。
【発明を実施するための形態】
【００２２】
この発明の一実施形態を、以下図面を用いて説明する。  
本実施形態における湯たんぽカバー１は、図１から図４に示すように構成している。  
図１は湯たんぽカバー１についての斜視図を示し、図２は湯たんぽカバー１についての説明図を示している。なお、図２（ａ）は湯たんぽカバー１の縦断面図を示し、図２（ｂ）は圧力調整弁３０部分を通過する横断面図を示し、図２（ｃ）は注入出口２０部分を通過する横断面図を示している。
【００２３】
図３は、注入出口２０についての説明図を示している。なお、図３（ａ）は閉じた状態の注入出口２０の斜視図を示し、図３（ｂ）は同状態のＡ−Ａ矢視方向の端面図を示している。また、図３（ｃ）は開いた状態の注入出口２０の斜視図を示し、図３（ｄ）は同状態のＢ−Ｂ矢視方向の端面図を示している。
【００２４】
図４は、圧力調整弁３０についての説明図を示している。なお、図４（ａ）は、圧力調整弁３０を構成部品ごとに分解した分解斜視図を示し、図４（ｂ）は圧力調整弁３０の斜視図を示している。
【００２５】
湯たんぽカバー１は、平面視長方形の３辺が閉じられ、短辺側の端部、すなわち長手方向Ｌの端部に収容開口１ｂを備え、内部に後述する湯たんぽ１００を収容する収容空間１ａを形成する袋状に構成している。
【００２６】
なお、湯たんぽカバー１は、周縁を密着状態で閉じた平面視長方形状の空気封入体１０を、長手方向Ｌに折曲げて幅方向Ｗの両側部を固着して上記形状に形成している。
【００２７】
空気封入体１０は、内面をビニールコーティングして、通気性を有さず、変形可能な布帛で構成し、内部を略密閉状となる封入空間１０ａを構成している。  
なお、空気封入体１０における上側の表面には圧力調整弁３０を備えるとともに、長手方向Ｌの側部に空気封入体１０の内外を連通可能に構成する注入出口２０を備えている。
【００２８】
注入出口２０は、平面視長方形状で、上下に凸な円弧面を対向させ、長手方向Ｌの中央付近がもっとも厚く、長手方向Ｌの両端部がとがった側面視両凸レンズ状に形成している。
【００２９】
また、注入出口２０の高さ方向中央付近には、注入出口２０の長手方向Ｌの長さの２／３程度の長さで形成し、幅方向Ｗを連通するスリット２１を備えている。スリット２１は、図３（ｂ）に示すように、幅方向Ｗに山谷が並んだ波形形状で形成している。
【００３０】
なお、注入出口２０は、弾性を有するゴムで構成しているため、自然状態では、スリット２１を挟んだ上下の山と谷が密着した状態となり、図３（ｂ）に示すように、注入出口２０の幅方向Ｗの通気を遮断する構成である。
【００３１】
これに対し、図３（ｃ）に示すように、注入出口２０に、長手方向Ｌの内側向きの負荷Ｆをゴムの付勢力に反して加えると、スリット２１の長手方向Ｌの中央付近が上下に開いて、図３（ｄ）に示すように、注入出口２０の幅方向Ｗの通気可能な状態になる。
【００３２】
圧力調整弁３０は、図４（ａ）に示すように、固定円盤３１と、Ｄ型ゴム弁３２と、押さえリング３３とで構成している。  
空気封入体１０に備えた貫通孔１０ｂ（図６参照）を覆うように取り付け固定される固定円盤３１は樹脂製の円形板であり、Ｄ型ゴム弁３２より一回り小さな略半円型の半円貫通部３１ａを平面視内側に備えている。
【００３３】
Ｄ型ゴム弁３２は、固定円盤３１より一回り小さな外周の平面視Ｄ型で形成され、適宜の弾性を有するゴムシートである。  
押さえリング３３は、固定円盤３１と同じ外周で形成され、Ｄ型ゴム弁３２に対応する部分に、Ｄ型ゴム弁３２の周縁部を押さえる押さえ凹部３３ａを備えている。
【００３４】
このように構成された固定円盤３１、Ｄ型ゴム弁３２及び押さえリング３３を、中心を合わせて、上下方向に重ねて組み合わせることにより、押さえリング３３によって周縁部が押さえられたＤ型ゴム弁３２で半円貫通部３１ａを覆う状態で組付けることができる。
【００３５】
このとき、Ｄ型ゴム弁３２は、上述したように押さえリング３３によって周縁部が拘束されているが、直線部分３２ａは押さえられていないため、Ｄ型ゴム弁３２自体の付勢力により半円貫通部３１ａを覆った状態で固定円盤３１の上面に密着している。
【００３６】
したがって、Ｄ型ゴム弁３２が固定円盤３１の上面に密着した自然状態では、固定円盤３１に半円貫通部３１ａを有するものの、圧力調整弁３０の上下方向の通気が遮断された状態となる。
【００３７】
このように構成した湯たんぽカバー１の使用について、図５及び図６とともに説明する。  
なお、図５は湯たんぽカバー１の収容空間１ａに湯たんぽ１００を収容した状態の長手方向Ｌの縦断面図を示し、図６は圧力調整弁３０の減圧構造についての説明図を示している。詳しくは、図６（ａ）は封入空間１０ａ内の圧力が所定圧力以下で圧力調整弁３０が密閉状態である場合の圧力調整弁３０の拡大縦断面図を示し、図６（ｂ）は封入空間１０ａ内の圧力が所定圧力以上になって圧力調整弁３０が圧力調整状態である場合の圧力調整弁３０の拡大縦断面図を示している。
【００３８】
まず、上部のキャップ部分１０１から内部１００ａにお湯１０２を封入した湯たんぽ１００を収容開口１ｂから挿入して、収容空間１ａに収容する。これによりにより、上下面が略面状となる扁平形状で形成された湯たんぽ１００の上下面の外側に空気封入体１０が配置されることとなる。
【００３９】
このように、内部１００ａにお湯１０２を封入した湯たんぽ１００は、内部１００ａに封入したお湯１０２によって温め効果を得ることができる。このときの温め効果はお湯１０２の温度に依存し、高温なお湯１０２であれば湯たんぽ１００に直接触れるとやけどするおそれがあるような温め効果を得ることができる。
【００４０】
例えば、高温のお湯１０２を内部１００ａに封入した湯たんぽ１００を収容空間１ａに収容すると、収容後すぐは、湯たんぽ１００の表面と湯たんぽカバー１の外表面が近いため熱伝達率が高く、湯たんぽカバー１の外表面と湯たんぽ１００の表面との温度差は少なく、やけどするおそれもある。
【００４１】
しかし、この湯たんぽ１００の温め効果によって、封入空間１０ａの内部に封入された空気が熱膨張するため、封入空間１０ａの圧力が高まり空気封入体１０が膨らんで厚みが厚くなる。
【００４２】
封入空間１０ａに封入した空気の熱膨張によって空気封入体１０の厚みが厚くなるため、湯たんぽ１００の熱を湯たんぽカバー１の外表面まで伝達する伝熱材として機能する空気の伝熱距離が長くなる。したがって、封入空間１０ａに封入されている空気による熱伝達率が低下し、湯たんぽ１００の表面に比べて、湯たんぽカバー１の外表面の温度が低くなる。よって、やけどするおそれも低減する。
【００４３】
また、封入空間１０ａに封入され、熱伝導率の低い流体である空気は封入空間１０ａ内部で対流が生じ、封入空間１０ａ内部の空気は一様な温度になりやすい。したがって、封入空間１０ａで局所的に熱くなりすぎることもない。
【００４４】
これに対し、やけどするような高温ではないお湯１０２を封入した湯たんぽ１００の場合は、封入空間１０ａに封入した空気の熱膨張量が、上記高温のお湯１０２を封入した湯たんぽ１００の場合と比較して少ないため、空気封入体１０の厚みの増加量が少なくなる。
【００４５】
したがって、湯たんぽ１００の熱を湯たんぽカバー１の外表面まで伝達する伝熱材として機能する空気の伝熱距離の増加も少なく、空気による熱伝達率の低下も少なくなる。よって、湯たんぽ１００の表面に比べて湯たんぽカバー１の外表面の温度が低い場合であっても、やけどするような高温のお湯１０２を封入した湯たんぽ１００の場合の温度低下より少なくなり、適度な温め効果を得ることができる。
【００４６】
なお、例えば、およそ４４〜５１℃の低温であっても長時間に亘って直接接触すると低温やけどするおそれがあるが、湯たんぽ１００の熱は、封入空間１０ａに封入され、熱伝導率の低い空気を介して接触するため低温やけどのおそれも低減することができる。
【００４７】
また、封入空間１０ａに封入された空気量が少なく、封入空間１０ａにおける温度低下が十分でない場合、空気封入体１０の側部に備えた注入出口２０を、図３（ｃ）に示すように開放し、図示省略するストロー等を用いて、封入空間１０ａに空気を吹き込んでもよい。
【００４８】
このように、注入出口２０を開放して、封入空間１０ａに空気を吹き込むことにより、封入空間１０ａに封入する空気量を増大させ、空気封入体１０の厚みを増大することができる。これにより、湯たんぽ１００の熱を湯たんぽカバー１の外表面まで伝達する空気の伝熱距離が長くなって、湯たんぽカバー１の外表面を所望の温度に調整することができる。
【００４９】
逆に、封入空間１０ａに封入された空気の熱膨張により、空気封入体１０の厚みが厚くなりすぎて、湯たんぽカバー１の外表面における湯たんぽ１００の温度低下が大きすぎる場合、注入出口２０を開放して、封入空間１０ａに封入された空気を放出させることができる。
【００５０】
これにより、空気封入体１０の厚みも少なくなって、空気の伝熱距離が短くなり、湯たんぽ１００の表面に比べて、湯たんぽカバー１の外表面での温度低下が少なくなり、適度な温め効果を得ることができる。
【００５１】
なお、注入出口２０には、注入出口２０を湯たんぽカバー１の幅方向Ｗ（図３（ｂ）における左右方向）、すなわち注入出口２０の奥行き方向に貫通する波形のスリット２１を備えているが、封入空間１０ａの内圧が上がり、すなわち、幅方向Ｗの外方向（図３（ｂ）において左から右方向）の圧力が付加された場合であっても、自然状態で密着している山谷の波形のスリット２１の山と谷とが係止して密着性が向上し、封入空間１０ａに封入された空気が、幅方向Ｗに貫通するスリット２１を通過して外部に放出されることを防止できる。
【００５２】
また、封入空間１０ａの空気が湯たんぽ１００からの熱によって熱膨張し、封入空間１０ａの内圧が高まりすぎた場合、高まりすぎた内圧によって空気封入体１０が破裂するおそれがあるが、圧力調整弁３０を備えたことにより、高まりすぎた封入空間１０ａの内圧を逃がすことができるため、破裂のおそれをなくすことができる。
【００５３】
詳しくは、図６（ａ）に示すように、封入空間１０ａの空気による内圧力ｆは、空気封入体１０に形成した貫通孔１０ｂに連通する半円貫通部３１ａを介して、Ｄ型ゴム弁３２に作用する。周縁部が押さえリング３３によって押さえつけられたＤ型ゴム弁３２の付勢力より内圧力ｆが小さい場合は、Ｄ型ゴム弁３２と固定円盤３１との密着状態により、封入空間１０ａの空気が外部に放出されることはない。
【００５４】
しかし、封入空間１０ａの空気の熱膨張によって、Ｄ型ゴム弁３２の付勢力を越える程度に内圧力ｆが大きくなると、Ｄ型ゴム弁３２の直線部分３２ａが付勢力に反して中央付近からめくれ、Ｄ型ゴム弁３２と固定円盤３１との密着状態が離れて、矢印Ｅに示すように、封入空間１０ａに封入された空気が放出され、封入空間１０ａの内圧力ｆを低下させることができる。  
したがって、封入空間１０ａの内圧によって破裂するおそれ無く、安全に使用することができる。
【００５５】
このように、湯たんぽ１００を被覆する湯たんぽカバー１は、伝熱性を有するとともに、流体状の空気を封入する空気封入体１０を、被覆する湯たんぽ１００の外側となるように配置している。さらに、空気封入体１０を変形可能な変形性素材で構成し、空気封入体１０における空気の封入量を調整する注入出口２０と、空気封入体１０における内部圧力を調整する圧力調整弁３０とを備えたため、安全に、所望の温め効果を得ることができる。
【００５６】
詳しくは、この湯たんぽ１００の温め効果によって、封入空間１０ａの内部に封入された空気が熱膨張するため、封入空間１０ａの圧力が高まり空気封入体１０の厚みが厚くなる。これにより、湯たんぽ１００の熱を湯たんぽカバー１の外表面まで伝達する伝熱材として機能する空気の伝熱距離が長くなる。したがって、封入空間１０ａに封入された空気による熱伝達率が低下し、湯たんぽ１００の表面に比べて、湯たんぽカバー１の外表面の温度が低くなる。よって、やけどするおそれも低減する。
【００５７】
また、空気封入体１０の側部に備えた注入出口２０を用いることによって、封入空間１０ａに封入する空気量を調整できるため、容易に、所望の温め効果を得ることができる。したがって、例えば、およそ４４〜５１℃の低温の湯たんぽ１００であっても、封入空間１０ａに封入され、熱伝導率の低い空気を介して接触するため低温やけどのおそれも低減することができる。
【００５８】
また、注入出口２０には、注入出口２０を幅方向Ｗに貫通する波形のスリット２１を備えているが、自然状態で密着している山谷の波形のスリット２１の山と谷とが係止して密着性が向上し、封入空間１０ａに封入された空気がスリット２１を通過して外部に放出されることを防止できる。
【００５９】
また、空気封入体１０に圧力調整弁３０を備えたことにより、高まりすぎた封入空間１０ａの内圧を逃がすことができるため、破裂のおそれをなくすことができ、安全に使用することができる。
【００６０】
なお、湯たんぽ１００にお湯１０２を封入して温め効果を得る場合について説明したが、湯たんぽ１００に氷や冷水を封入して冷やし効果を得てもよい。このとき、空気封入体１０に封入された空気は、湯たんぽ１００によって冷やされて対流するため一様な温度になり、局所的に冷たくなりすぎることもない。したがって、適度な冷やし効果を長時間に亘って得ることができる。  
このように、湯たんぽカバー１は、湯たんぽ１００に封入するお湯１０２や氷等の熱媒体に応じた所望の温熱効果を得ることができる。
【００６１】
また、上記実施例では、空気封入体１０に注入出口２０及び圧力調整弁３０の両方を備えて構成したが、いずれか一方ののみを備えた構成であってもよく、注入出口２０及び圧力調整弁３０の配置も上記配置に限定されず、それぞれの機能が確保できる位置であれば、あらゆる位置に配置してもよい。
【００６２】
また、注入出口２０の構成についても上記構成に限定されず、通常の湯たんぽカバー１の使用状態では空気封入体１０に封入された空気の放出を防止するとともに、温め効果調整時等の所望のタイミングで空気封入体１０に封入された空気の封入量を調整できる構成であればよい。
【００６３】
同様に、圧力調整弁３０の構成についても上記構成に限定されず、通常の湯たんぽカバー１の使用状態では空気封入体１０の内圧が逃げないように封止され、例えば空気封入体１０の許容圧力を超えるような過剰な内圧が生じた場合に、内圧を低下させることができる構成であればよい。
【００６４】
さらに、例えば、図７に示すように、湯たんぽ１００の上面に空気封入体１０が配置される構成の湯たんぽカバー１であってもよい。この場合、例えば、湯たんぽ１００の上面に足を置いて足温器として、安全、かつ所望の温熱効果を得ることができる。  
さらにまた、湯たんぽ１００の上下側に配置した空気封入体１０を、それぞれ独立した封入空間１０ａを有する空気封入体１０で構成してもよい。
【００６５】
また、空気封入体１０を、内面をビニールコーティングして、通気性を有さず、変形可能な布帛で構成したが、例えば、ウェットスーツ生地やフロッキー加工された布帛で構成してもよい。
【００６６】
詳しくは、ネオプレーンゴム、クロロプレーンゴムなどのウェットスーツやドライスーツの素材となる生地や、表面を起毛してベルベット調の高級感のある雰囲気にするフロッキー加工された布帛を用いることによって、様々な肌触りの空気封入体１０を構成することができる。したがって、利用者の好みに応じた肌触りの湯たんぽカバー１を構成ができ、利用者の満足度を向上することができる。
【００６７】
さらにまた、図８から図１０に示すように、空気封入体と袋体を別体構成した湯たんぽカバーであってもよい。  
なお、図８は湯たんぽカバー２００の斜視図を示し、図９は湯たんぽカバー２００の組付けについて説明する説明図を示し、図１０は収容空間２００ａに湯たんぽ１００を収容した状態の縦断面図を示している。
【００６８】
この湯たんぽカバー２００は、上述の湯たんぽカバー１の空気封入体１０に該当する空気封入体２１０を布袋体２３０に収容して、平面視長方形の３辺が閉じられ、短辺側の端部、すなわち長手方向Ｌの端部に収容開口２００ｂを備え、内部に湯たんぽ１００を収容する収容空間２００ａを形成する袋状に構成している。
【００６９】
詳しくは、空気封入体２１０は、通気性を有さない変形可能な布帛で構成し、内部を略密閉状となる封入空間２１０ａを構成する平面視長方形状に形成している。なお、空気封入体２１０の長手方向中央付近の上面には、空気封入体２１０の内外を連通可能に構成する注入出口２２０を備えている。
【００７０】
注入出口２２０は、例えば、水泳用の浮き輪や幼児用玩具に装着され、円筒状に突出する口部２２１の先端部をエア吸入後にキャップ２２２で閉塞するようなエアバルブで構成している。
【００７１】
布袋体２３０は、布帛製であり、空気封入体２１０が露出しないように被覆するととともに、短辺側の端部、すなわち長手方向Ｌの端部に収容開口２００ｂを備え、内部に後述する湯たんぽ１００を収容する収容空間２００ａを形成する袋体である。なお、布袋体２３０には、面ファスナ２３１ａによって開閉自在に収容開口２００ｂを塞ぐ閉塞片２３１を備えている。
【００７２】
上記構成の湯たんぽカバー２００は、長手方向に長い平面視長方形状の空気封入体２１０を長手方向の中央付近で折曲げ（図９（ｂ）参照）、この状態の空気封入体２１０を内包するように布袋体２３０を上記形状に形成する。このとき、注入出口２２０は布袋体２３０の外面に設けた貫通孔を貫通させて外面側から突出させる。
【００７３】
このように構成された湯たんぽカバー２００は、上記湯たんぽカバー１と同様に、伝熱性を有するとともに、流体状の空気を封入する空気封入体２１０を、被覆する湯たんぽ１００の外側となるように配置するとともに、変形可能な変形性素材で構成し、空気封入体２１０における空気の封入量を調整する注入出口２２０を備えたため、安全に、所望の温熱効果を得ることができる。
【００７４】
詳しくは、この湯たんぽ１００の温熱効果によって、封入空間２１０ａの内部に封入された空気が熱膨張するため、封入空間２１０ａの圧力が高まり空気封入体２１０の厚みが厚くなる。これにより、湯たんぽ１００の熱を湯たんぽカバー２００の外表面まで伝達する伝熱材として機能する空気の伝熱距離が長くなる。したがって、封入空間２１０ａに封入された空気による熱伝達率が低下し、湯たんぽ１００の表面に比べて、湯たんぽカバー２００の外表面の温度が低くなる。よって、やけどするおそれも低減する。
【００７５】
また、空気封入体２１０の側部に備えた注入出口２２０を用いることによって、封入空間２１０ａに封入する空気量を調整できるため、容易に、所望の温熱効果を得ることができる。したがって、例えば、およそ４４〜５１℃の低温の湯たんぽ１００であっても、封入空間２１０ａに封入され、熱伝導率の低い空気を介して接触するため低温やけどのおそれも低減することができる。
【００７６】
なお、湯たんぽ１００に氷や冷水を封入して冷やし効果を得てもよい。このとき、空気封入体２１０に封入された空気は、湯たんぽ１００によって冷やされて対流するため一様な温度になり、局所的に冷たくなりすぎることもない。したがって、適度な冷やし効果を長時間に亘って得ることができる。  
このように、湯たんぽカバー２００は、湯たんぽカバー１と同様に、湯たんぽ１００に封入するお湯１０２や氷等の熱媒体に応じた所望の温熱効果を得ることができる。
【００７７】
さらに、湯たんぽカバー２００は、空気封入体２１０と布袋体２３０とを別体で構成し、外側に露出する布袋体２３０には空気の封入性能を要さないため、肌触りのよい布帛を用いることができ、利用者の満足度を向上することができる。
【００７８】
上述した実施形態と、この発明の構成との対応において、
熱源体及び湯たんぽは、湯たんぽ１００に対応し、
熱源カバーは、湯たんぽカバー１、２００に対応し、
伝熱体、流体状伝熱体及び空気は、空気やヘリウムガスに対応し、
伝熱体封入部は、空気封入体１０、２１０に対応し、
変形性素材は、内面をビニールコーティングして、通気性を有さず、変形可能な布帛に対応し、
封入量調整手段は、注入出口２０、２２０に対応し、
圧力調整手段は、圧力調整弁３０に対応するも上記実施形態に限定するものではない。  
【００７９】
例えば、熱源体として湯たんぽ１００を用いたが、例えば、ゲル状の蓄熱体を封入した熱源体等の異なる熱源体を用いてもよく、さらには空気封入体１０に封入する空気の代わりに無害なヘリウムガスを用いてもよい。この場合、ヘリウムガスを封入したスプレーボンベのスプレー圧力で空気封入体１０にヘリウムガスを封入すればよい。
【符号の説明】
【００８０】
１，２００…湯たんぽカバー
１０，２１０…空気封入体
２０，２２０…注入出口
３０…圧力調整弁
１００…湯たんぽ
【図１】
2011000253.tif 000003
【図２】
2011000253.tif 000004
【図３】
2011000253.tif 000005
【図４】
2011000253.tif 000006
【図５】
2011000253.tif 000007
【図６】
2011000253.tif 000008
【図７】
2011000253.tif 000009
【図８】
2011000253.tif 000010
【図９】
2011000253.tif 000011
【図１０】
2011000253.tif 000012